(57)【要約】【課題】  特別に通信システム等が整備されていない環境においても複数の情報取扱い装置間で手軽に情報の転送を行うことが可能な情報転送システム及び情報転送方法並びにこれらのシステム乃至方法に適合する情報取扱い装置を提供する。【解決手段】  録画装置１０１、テレビジョン装置１０２、マルチメディアプレーヤ１０４、及び、デジタルスチルカメラ１０５間で共通のメモリカード１０３をその脱着により移転し、メモリカード１０３に担持させた情報をこれらの情報取扱い装置（１０１，１０２，１０４，１０５）間で授受して情報を転送する。映像等の主情報に各個の装置（１０１，１０２，１０４，１０５）の仕様（性能）を表す副情報を付帯させ、副情報に依拠して、転送先の仕様に適合した形態のデータを形成して転送する。【選択図】  図１
2006270705.tif 000002
【特許請求の範囲】
【請求項１】
着脱自在な情報記録媒体を適用可能な複数の情報取扱い装置間で共通に適用可能な当該情報記録媒体をその脱着により移転することによって、該移転に係る情報記録媒体に担持させた情報を前記複数の情報取扱い装置のうちの一の情報取扱い装置から他の情報取扱い装置へと転送する情報転送システムであって、前記一の情報取扱い装置は、本来の取扱いの対象とする主情報と自己の仕様に係る情報を含む副情報とを当該情報記録媒体に担持させ且つ前記他の情報取扱い装置の仕様に係る情報を含む副情報を当該情報記録媒体から判読可能に構成され、前記他の情報取扱い装置は、当該情報記録媒体に担持された主情報を判読可能に且つ自己の仕様に係る情報を含む副情報を当該情報記録媒体に担持させ得るように構成されていることを特徴とする情報転送システム。
【請求項２】
前記複数の情報取扱い装置間で共通に適用可能な情報記録媒体としてメモリカードを適用することを特徴とする請求項１に記載の情報転送システム。
【請求項３】
前記一の情報取扱い装置は、自己の外部から前記主情報としての映像情報を取得する映像情報取得機能部を備えていることを特徴とする請求項１に記載の情報転送システム。
【請求項４】
前記他の情報取扱い装置は、前記主情報としての映像情報を記録及び再生する映像情報記録再生機能部を備えていることを特徴とする請求項１に記載の情報転送システム。
【請求項５】
前記一の情報取扱い装置及び他の情報取扱い装置は、夫々自己を特定する前記副情報としての機器ＩＤが各設定されていることを特徴とする請求項１に記載の情報転送システム。
【請求項６】
着脱自在な情報記録媒体を適用可能な複数の情報取扱い装置間で共通に適用可能な当該情報記録媒体をその脱着により移転することによって、該移転に係る情報記録媒体に担持させた情報を前記複数の情報取扱い装置間で授受する情報転送方法であって、当該情報記録媒体に本来の取扱いの対象とする主情報と該当する前記情報取扱い装置の仕様に係る情報を含む副情報とを担持させ、この情報記録媒体をその脱着により交換した両情報取扱い装置間で当該副情報に基づいて主情報の取り扱い方を選択することを特徴とする情報転送方法。
【請求項７】
前記複数の情報取扱い装置間で共通に適用可能な情報記録媒体としてメモリカードを適用することを特徴とする請求項６に記載の情報転送方法。
【請求項８】
前記情報取扱い装置として、自己の外部から前記主情報としての映像情報を取得する映像情報取得機能部を備えている情報取扱い装置を適用することを特徴とする請求項６に記載の情報転送方法。
【請求項９】
前記情報取扱い装置として、前記主情報としての映像情報を記録及び再生する映像情報記録再生機能部を備えている情報取扱い装置を適用することを特徴とする請求項６に記載の情報転送方法。
【請求項１０】
前記情報取扱い装置に、夫々自己を特定する前記副情報としての機器ＩＤを各設定することを特徴とする請求項６に記載の情報転送方法。
【請求項１１】
着脱自在な情報記録媒体を適用可能な複数の情報取扱い装置間で共通に適用可能な当該情報記録媒体をその脱着により移転することによって、該移転に係る情報記録媒体に担持させた情報を前記複数の情報取扱い装置のうちの一の情報取扱い装置から他の情報取扱い装置へと転送する情報転送システムに適合する情報取扱い装置であって、本来の取扱いの対象とする主情報と自己の仕様に係る情報を含む副情報とを当該情報記録媒体に担持させ且つ前記他の情報取扱い装置の仕様に係る情報を含む副情報を当該情報記録媒体から判読する情報記録媒体アクセス部と、前記情報記録媒体アクセス部で判読された自己に対応する前記他の情報取扱い装置の仕様に係る情報を含む副情報に基づいて自己の保有する情報を当該他の情報取扱い装置に適合する形態の情報に変換する情報変換処理部と、を備えたことを特徴とする情報取扱い装置。
【請求項１２】
前記情報記録媒体アクセス部は、当該情報記録媒体としてのメモリカードに対して情報の授受を行うように構成されていることを特徴とする請求項１１に記載の情報取扱い装置。
【請求項１３】
当該情報記録媒体に情報の転送先の候補となる各情報取扱い装置を表す機器ＩＤが担持されているときには、前記情報記録媒体アクセス部によって判読した機器ＩＤに基づいて前記情報の転送先の候補となる各情報取扱い装置を表示器に表示する転送先候補表示手段を更に備えたことを特徴とする請求項１１に記載の情報取扱い装置。
【請求項１４】
被写体を撮像する撮像手段を更に備え、当該情報記録媒体に情報の転送先の候補となる各情報取扱い装置で表示可能な画像の精細度を表す情報が担持されているときには、前記撮像手段では、前記情報記録媒体アクセス部によって判読した当該表示可能な画像の精細度に対応した撮像モードで撮像を行うように構成されていることを特徴とする請求項１１に記載の情報取扱い装置。
【請求項１５】
映像情報を取得する映像情報取得手段と、情報の転送先として指定された情報取扱い装置を認識する転送先認識手段と、前記転送先認識手段によって認識された情報取扱い装置の仕様に係る情報を当該適用された情報記録媒体から前記情報記録媒体アクセス部によって判読した結果に応じて当該取得した映像情報のエンコード方法を選択するエンコード方法選択手段と、該選択されたエンコード方法により当該映像情報をエンコードするエンコード手段と、前記エンコード手段によってエンコードされた映像データを当該指定された情報取扱い装置を表すＩＤと共に当該適用された情報記録媒体に前記情報記録媒体アクセス部を通して書き込ませる情報書き込み制御手段と、を更に備えていることを特徴とする請求項１１に記載の情報取扱い装置。
【発明の詳細な説明】
【技術分野】
【０００１】
本発明は、例えば、デジタルテレビジョン受像機、デジタルスチルカメラ、或いは、録画装置のような映像、音声その他の情報を取り扱う情報取扱い装置間で情報を転送する情報転送システム、及び、このような情報転送システムにおける情報転送方法、並びに、このようなシステム及び方法に適用する情報取扱い装置に関する。
【背景技術】
【０００２】
近年、例えば、デジタルテレビジョン受像機、デジタルスチルカメラ、或いは、録画装置のような映像、音声その他の情報を取り扱う複数の情報取扱い装置間で情報を転送し、該転送された情報を記録し、再生し、乃至は加工処理を施し、更に転送するといった用い方が一般のユーザによって行われるようになってきている。このような場合、当初に情報を保有していた一の情報取扱い装置の仕様（例えば取り扱える映像の精細度）が次に情報を転送する相手方となる他の情報取扱い装置の仕様と異なるといった状況が多々発生しがちである。このような状況においてもこれらの情報取扱い装置の仕様通りの機能を十分に発揮させて支障なく情報の転送を行ない得るようにするには種々配慮が必要である。
【０００３】
送信装置側から、映像・音声を伝送する際に、受信装置側の性能、映像・音声バッファの状況、伝送帯域の状況、表示装置の能力に応じて、送信装置側より送信するコンテンツの品質を逐次変化させて、受信装置側において最もパフォーマンスの高い映像再生を可能にしようとする提案がなされている。
この提案では、送信装置は受信装置の基本性能、受信性能、送信対象コンテンツの元の解像度、動きベクトル量を元に最適な映像のフレーム周波数、画素数、エンコードの方法（ＭＰＥＧ２、ＭＰＥＧ４、real video等）を決定してエンコードを行い受信装置へ送信するようにして、受信装置側では途切れない再生が可能となるようにするというものである。又、受信装置は、送られて来た映像のフレーム周波数、画素数に応じて、フレームの補完、画素数の補間を行うので、受信装置側の映像品質の変化ができる限り目立たないようにすることが可能となるとされている（特許文献１参照）。
【特許文献１】特開２００３−２５９３３３号公報（段落０１７８〜段落０１８１、図２）
【発明の開示】
【発明が解決しようとする課題】
【０００４】
上述した特許文献１に提案の技術では、送信装置から受信装置へ映像を送信する際、送信装置は受信装置側の処理性能に関する情報を得て、該受信装置側の処理性能に関する情報に依拠して映像データを変更するので、受信装置側では映像が途切れない再生が可能であるが、処理性能に関する情報を伝送するためにＬＡＮ（無線も含む）やBluetooth等の通信システムを適用する環境が整っていることを前提とした技術であり、このような環境（所謂通信インフラ）が整わない場合には適用することができないといった問題がある。
【０００５】
本発明は叙上のような状況に鑑みてなされたものであり、別段の通信システム等が整備されていない環境においても複数の情報取扱い装置間で手軽に情報の転送を行うことが可能な情報転送システム及び情報転送方法並びにこれらのシステム乃至方法に適合する情報取扱い装置を提供することを目的としている。
【課題を解決するための手段】
【０００６】
上記課題を解決するべく、本願では次に列記するような技術を提案する。
（１）着脱自在な情報記録媒体を適用可能な複数の情報取扱い装置間で共通に適用可能な当該情報記録媒体をその脱着により移転することによって、該移転に係る情報記録媒体に担持させた情報を前記複数の情報取扱い装置のうちの一の情報取扱い装置から他の情報取扱い装置へと転送する情報転送システムであって、前記一の情報取扱い装置は、本来の取扱いの対象とする主情報と自己の仕様に係る情報を含む副情報とを当該情報記録媒体に担持させ且つ前記他の情報取扱い装置の仕様に係る情報を含む副情報を当該情報記録媒体から判読可能に構成され、前記他の情報取扱い装置は、当該情報記録媒体に担持された主情報を判読可能に且つ自己の仕様に係る情報を含む副情報を当該情報記録媒体に担持させ得るように構成されていることを特徴とする情報転送システム。
【０００７】
上記（１）の情報転送システムでは、複数の情報取扱い装置間で共通に適用可能な当該情報記録媒体を一の情報取扱い装置から他の情報取扱い装置へと移転することによって情報記録媒体に担持させた情報を転送する。一の情報取扱い装置は、本来の取扱いの対象とする例えば画像情報のような主情報と例えば処理可能な画像の解像度やフレームレート等のような自己の仕様に係る情報を含む副情報とをこの情報記録媒体に担持させ且つ既に担持されている他の情報取扱い装置の仕様に係る情報を含む副情報をこの情報記録媒体から判読する。また、他の情報取扱い装置は、この情報記録媒体に担持された上記画像情報のような主情報を判読可能であり、且つ、自己の仕様に係る情報を含む副情報を当該情報記録媒体に担持させ得る。このため、一の情報取扱い装置は、転送の相手方となる他の情報取扱い装置の仕様に適合した態様で（画像の解像度やフレームレート等で）情報を転送することが可能になる。
【０００８】
（２）前記複数の情報取扱い装置間で共通に適用可能な情報記録媒体としてメモリカードを適用することを特徴とする（１）に記載の情報転送システム。
上記（２）の情報転送システムでは、（１）の情報転送システムの作用において特に、前記複数の情報取扱い装置間で共通に適用可能な情報記録媒体としてよく普及し入手が容易で信頼性の高い媒体であるメモリカードを適用するため、簡易な構成で且つ取り扱いが容易な情報転送システムが実現される。
【０００９】
（３）前記一の情報取扱い装置は、自己の外部から前記主情報としての映像情報を取得する映像情報取得機能部を備えていることを特徴とする（１）に記載の情報転送システム。
上記（３）の情報転送システムでは、（１）の情報転送システムの作用において特に、一の情報取扱い装置は、自己の外部から前記主情報としての映像情報を取得する映像情報取得機能部を備え、例えば、デジタルテレビジョン受像機やデジタルスチルカメラとして構成され得る。このシステムではこれらの情報取扱い装置が映像情報を取得し容易に転送できる。
【００１０】
（４）前記他の情報取扱い装置は、前記主情報としての映像情報を記録及び再生する映像情報記録再生機能部を備えていることを特徴とする（１）に記載の情報転送システム。
上記（４）の情報転送システムでは、（１）の情報転送システムの作用において特に、他の情報取扱い装置は、主情報としての映像情報を記録及び再生する映像情報記録再生機能部を備えるため、本情報転送システム内で、映像（または静止画像）情報の授受が行われ得る。
【００１１】
（５）前記一の情報取扱い装置及び他の情報取扱い装置は、夫々自己を特定する前記副情報としての機器ＩＤが各設定されていることを特徴とする（１）に記載の情報転送システム。
上記（５）の情報転送システムでは、（１）の情報転送システムの作用において特に、一の情報取扱い装置及び他の情報取扱い装置は、夫々自己を特定する前記副情報としての機器ＩＤが各設定されているため、本情報転送システム内での情報の転送に係って、相手方の機器を確実に弁別することができ、ひいては、この弁別に依拠して的確な情報の授受が行われ得る。
【００１２】
（６）着脱自在な情報記録媒体を適用可能な複数の情報取扱い装置間で共通に適用可能な当該情報記録媒体をその脱着により移転することによって、該移転に係る情報記録媒体に担持させた情報を前記複数の情報取扱い装置間で授受する情報転送方法であって、当該情報記録媒体に本来の取扱いの対象とする主情報と該当する前記情報取扱い装置の仕様に係る情報を含む副情報とを担持させ、この情報記録媒体をその脱着により交換した両情報取扱い装置間で当該副情報に基づいて主情報の取り扱い方を選択することを特徴とする情報転送方法。
【００１３】
上記（６）の情報転送方法では、複数の情報取扱い装置間で共通に適用可能な当該情報記録媒体を一の情報取扱い装置から他の情報取扱い装置へと移転することによって情報記録媒体に担持させた情報を転送する。一の情報取扱い装置は、本来の取扱いの対象とする例えば画像情報のような主情報と例えば処理可能な画像の解像度やフレームレート等のような自己の仕様に係る情報を含む副情報とをこの情報記録媒体に担持させ且つ既に担持されている他の情報取扱い装置の仕様に係る情報を含む副情報をこの情報記録媒体から判読する。また、他の情報取扱い装置は、この情報記録媒体に担持された上記画像情報のような主情報を判読可能であり、且つ、自己の仕様に係る情報を含む副情報を当該情報記録媒体に担持させ得る。このため、一の情報取扱い装置は、転送の相手方となる他の情報取扱い装置の仕様に適合した態様で（画像の解像度やフレームレート等で）情報を転送することが可能になる。
【００１４】
（７）前記複数の情報取扱い装置間で共通に適用可能な情報記録媒体としてメモリカードを適用することを特徴とする（６）に記載の情報転送方法。
上記（７）の情報転送方法では、（６）の情報転送方法による作用において特に、前記複数の情報取扱い装置間で共通に適用可能な情報記録媒体としてよく普及し入手が容易で信頼性の高い媒体であるメモリカードを適用するため、実施が容易な情報転送方法が実現される。
【００１５】
（８）前記情報取扱い装置として、自己の外部から前記主情報としての映像情報を取得する映像情報取得機能部を備えている情報取扱い装置を適用することを特徴とする（６）に記載の情報転送方法。
上記（８）の情報転送方法では、（６）の情報転送方法による作用において特に、前記情報取扱い装置として、自己の外部から前記主情報としての映像情報を取得する映像情報取得機能部を備えた、例えば、デジタルテレビジョン受像機やデジタルスチルカメラを適用する。この方法ではこれらの情報取扱い装置で映像情報を取得して容易に転送できる。
【００１６】
（９）前記情報取扱い装置として、前記主情報としての映像情報を記録及び再生する映像情報記録再生機能部を備えている情報取扱い装置を適用することを特徴とする（６）に記載の情報転送方法。
上記（９）の情報転送方法では、（６）の情報転送方法による作用において特に、前記情報取扱い装置として、主情報としての映像情報を記録及び再生する映像情報記録再生機能部を備えたものを適用するため、本情報転送方法が実施されるシステム内では、映像（または静止画像）情報の授受が行われ得る。
【００１７】
（１０）前記情報取扱い装置に、夫々自己を特定する前記副情報としての機器ＩＤを各設定することを特徴とする（６）に記載の情報転送方法。
上記（１０）の情報転送方法では、（６）の情報転送方法による作用において特に、前記情報取扱い装置は、夫々自己を特定する前記副情報としての機器ＩＤが各設定されるため、本情報転送方法による情報の転送に係って、相手方の機器を確実に弁別することができ、ひいては、この弁別に依拠して的確な情報の授受が行われ得る。
【００１８】
（１１）着脱自在な情報記録媒体を適用可能な複数の情報取扱い装置間で共通に適用可能な当該情報記録媒体をその脱着により移転することによって、該移転に係る情報記録媒体に担持させた情報を前記複数の情報取扱い装置のうちの一の情報取扱い装置から他の情報取扱い装置へと転送する情報転送システムに適合する情報取扱い装置であって、本来の取扱いの対象とする主情報と自己の仕様に係る情報を含む副情報とを当該情報記録媒体に担持させ且つ前記他の情報取扱い装置の仕様に係る情報を含む副情報を当該情報記録媒体から判読する情報記録媒体アクセス部と、前記情報記録媒体アクセス部で判読された自己に対応する前記他の情報取扱い装置の仕様に係る情報を含む副情報に基づいて自己の保有する情報を当該他の情報取扱い装置に適合する形態の情報に変換する情報変換処理部と、を備えたことを特徴とする情報取扱い装置。
【００１９】
上記（１１）の情報取扱い装置では、複数の情報取扱い装置間で共通に適用可能な当該情報記録媒体を自装置から相手方の情報取扱い装置へと移転することによって情報記録媒体に担持させた情報を転送する。自装置は、本来の取扱いの対象とする例えば画像情報のような主情報と例えば処理可能な画像の解像度やフレームレート等のような自己の仕様に係る情報を含む副情報とをこの情報記録媒体に担持させ且つ既に担持されている当該相手方の情報取扱い装置の仕様に係る情報を含む副情報をこの情報記録媒体から判読する。当該相手方の情報取扱い装置が、この情報記録媒体に担持された上記画像情報のような主情報を判読可能であり、且つ、自己の仕様に係る情報を含む副情報を当該情報記録媒体に担持させ得るものであるときには、自装置は、当該相手方の情報取扱い装置の仕様に適合した態様で（画像の解像度やフレームレート等で）情報を転送することが可能になる。
【００２０】
（１２）前記情報記録媒体アクセス部は、当該情報記録媒体としてのメモリカードに対して情報の授受を行うように構成されていることを特徴とする（１１）に記載の情報取扱い装置。
上記（１２）の情報取扱い装置では、（１１）の情報取扱い装置の作用において特に、前記複数の情報取扱い装置間で共通に適用可能な情報記録媒体としてよく普及し入手が容易で信頼性の高い媒体であるメモリカードを適用するため、簡易な構成で且つ取り扱いが容易な情報取扱い装置が実現される。
【００２１】
（１３）当該情報記録媒体に情報の転送先の候補となる各情報取扱い装置を表す機器ＩＤが担持されているときには、前記情報記録媒体アクセス部によって判読した機器ＩＤに基づいて前記情報の転送先の候補となる各情報取扱い装置を表示器に表示する転送先候補表示手段を更に備えたことを特徴とする（１１）に記載の情報取扱い装置。
【００２２】
上記（１３）の情報取扱い装置では、（１１）の情報取扱い装置の作用において特に、情報記録媒体に情報の転送先の候補となる各情報取扱い装置を表す機器ＩＤが担持されているときには、前記情報記録媒体アクセス部によって判読した機器ＩＤに基づいて前記情報の転送先の候補となる各情報取扱い装置を表示器に表示するため、この表示に基づいて情報の転送先の選択操作が容易且つ的確に行われ得る。
【００２３】
（１４）被写体を撮像する撮像手段を更に備え、当該情報記録媒体に情報の転送先の候補となる各情報取扱い装置で表示可能な画像の精細度を表す情報が担持されているときには、前記撮像手段では、前記情報記録媒体アクセス部によって判読した当該表示可能な画像の精細度に対応した撮像モードで撮像を行うように構成されていることを特徴とする（１１）に記載の情報取扱い装置。
【００２４】
上記（１４）の情報取扱い装置では、（１１）の情報取扱い装置の作用において特に、自装置の保有する撮像手段では、前記情報記録媒体アクセス部によって判読した当該表示可能な画像の精細度に対応した撮像モードで撮像を行うため、目的に合致した過不足のない精細度での撮像が行われ得る。
【００２５】
（１５）映像情報を取得する映像情報取得手段と、情報の転送先として指定された情報取扱い装置を認識する転送先認識手段と、前記転送先認識手段によって認識された情報取扱い装置の仕様に係る情報を当該適用された情報記録媒体から前記情報記録媒体アクセス部によって判読した結果に応じて当該取得した映像情報のエンコード方法を選択するエンコード方法選択手段と、該選択されたエンコード方法により当該映像情報をエンコードするエンコード手段と、前記エンコード手段によってエンコードされた映像データを当該指定された情報取扱い装置を表すＩＤと共に当該適用された情報記録媒体に前記情報記録媒体アクセス部を通して書き込ませる情報書き込み制御手段と、を更に備えていることを特徴とする（１１）に記載の情報取扱い装置。
【００２６】
上記（１５）の情報取扱い装置では、（１１）の情報取扱い装置の作用において特に、映像情報取得手段によって映像情報を取得し、転送先認識手段によって情報の転送先として指定された情報取扱い装置を認識し、エンコード方法選択手段によって転送先認識手段によって認識された情報取扱い装置の仕様に係る情報を当該適用された情報記録媒体から前記情報記録媒体アクセス部によって判読した結果に応じて上記取得した映像情報のエンコード方法を選択し、エンコード手段によって上記選択されたエンコード方法により当該映像情報をエンコードする。該エンコードされた映像データを、情報書き込み制御手段によって、相手方の（指定された）情報取扱い装置を表すＩＤと共に情報記録媒体に情報記録媒体アクセス部を通して書き込ませる。上述のようにして情報が書き込まれ担持された情報記録媒体を相手方の（指定された）情報取扱い装置に移転装着させることによって、別段の通信システムの介在を俟つことなく適切な情報の転送が実現される。
【発明を実施するための最良の形態】
【００２７】
以下、本発明の実施の形態を図面を参照して説明する。尚、以下に参照する図においては、便宜上、説明の主題となる要部は適宜誇張し、要部以外については適宜簡略化し乃至省略されている。
図１は、本発明の実施の形態としての情報転送システム及び情報転送方法を表す概念図である。本例の情報転送システム１００を構成する情報取扱い装置は、より具体的には、例えば、図示の、録画装置１０１、テレビジョン装置１０２、マルチメディアプレーヤ１０４、及び、デジタルスチルカメラ（ＤＳＣ）１０５である。これらの情報取扱い装置は、着脱自在な情報記録媒体としてのメモリカード１０３を夫々に対して共通に適用可能である。尚、茲にマルチメディアプレーヤ１０４は、ゲーム、音楽、ビデオ、フォト等の各ＣＤの再生表示も可能な録画再生装置である。
【００２８】
即ち、録画装置１０１、テレビジョン装置１０２、マルチメディアプレーヤ１０４、及び、デジタルスチルカメラ１０５は何れも情報記録媒体としてのメモリカード１０３を装着可能な公知のカードスロット（カードホルダ）にこのメモリカード１０３との情報の授受を行うためのコネクタ部を備えている。本実施の形態のシステムでは、これら複数の情報取扱い装置（１０１，１０２，１０４，１０５）間で共通に適用可能な情報記録媒体としてのメモリカード１０３をその脱着により移転することによって、該移転に係る情報記録媒体に担持させた情報をこれら複数の情報取扱い装置（１０１，１０２，１０４，１０５）間で授受することにより情報を転送する。尚、テレビジョン装置１０２はデジタルテレビジョン受像機であってよい。
【００２９】
このようなメモリカード１０３に本来の取扱いの対象とする主情報（例えば映像情報）とこれら情報取扱い装置（１０１，１０２，１０４，１０５）の仕様（例えば、取り扱える映像の解像度や映像情報の転送レート等々）に係る情報を含む副情報とを担持させ、このメモリカード１０３を情報取扱い装置（１０１，１０２，１０４，１０５）に脱着により交換した該当する両情報取扱い装置間では、このような副情報に基づいて主情報の取り扱い方を選択する。
【００３０】
例えば、録画装置１０１にて録画された主情報としての映像データを先ず録画装置１０１のカードスロットに装着したメモリカード１０３に格納し、次いで、このメモリカード１０３を取り外してテレビジョン装置１０２またはマルチメディアプレーヤ１０４のカードスロットに装着して、新たに装着した情報取扱い装置（１０２，１０４）側で読み込むことによって、一の情報取扱い装置（１０１）から他の情報取扱い装置（１０２，１０４）への映像データの転送が行われる。
【００３１】
後述するように、本実施の形態では、この転送に際して情報取扱い装置の仕様に係る情報を含む副情報に依拠して適切な形態で情報の転送が実行される。また、副情報に依拠して、テレビジョン装置１０３で受信した映像データをマルチメディアプレーヤ１０４に対しこれに適合した形態で転送し、更に、テレビジョン装置１０２またはマルチメディアプレーヤ１０４の表示解像度に最適な解像度でデジタルスチルカメラ１０５は撮像動作を実行する。
【００３２】
また、この情報転送システムでは、該システムに属する各情報取扱い装置としての録画装置１０１、テレビジョン装置１０２、マルチメディアプレーヤ１０４、及び、デジタルスチルカメラ１０５は、夫々自己を特定する前記副情報としての機器ＩＤが各設定されている。このため、本情報転送システム内での情報の転送に係って、相手方の機器を確実に弁別することができ、ひいては、この弁別に依拠して的確な情報の授受が行われ得る。
【００３３】
更に、図１の情報転送システムでは、複数の情報取扱い装置間で共通に適用可能な情報記録媒体としてよく普及し入手が容易で信頼性の高い媒体であるメモリカードを適用するため、簡易な構成で且つ取り扱いが容易な情報転送システムが実現される。
図２は、図１の情報転送システム１００におけるテレビジョン装置１０２に相応するテレビジョン装置２００の構成を表すブロック図である。地上波放送信号、衛星放送信号、ＣＡＴＶ放送信号等のアナログ/デジタル放送波は、アンテナやケーブルを介して、チューナ２０１に入力される。チューナ２０１はユーザーにより指定されたチャンネルにチューニングを行い放送信号を受信する。受信された放送信号を復調するための復調器２０２が設けられており、この復調器２０２の出力は本テレビジョン装置２００の系全体を統括的に制御するホストコントローラ２０３を介して、映像信号および音声信号としてＲＡＭ２０４に夫々格納される。
【００３４】
ホストコントローラ２０３は、ＲＡＭ２０４に格納された映像信号を読み出してビデオデコーダ２０５に的確なタイミングで供給する。ビデオデコーダ２０５は供給された映像信号のデコード処理を行い、該処理を施した信号を、液晶又はプラズマ等の表示装置２０６に供給し映像を表示させる。また、ホストコントローラ２０３は、ＲＡＭ２０４に格納された音声信号を読み出してオーディオデコーダ２０７に的確なタイミングで供給する。
【００３５】
オーディオデコーダ２０７は該供給された音声データのデコード処理を行い、スピーカ等の音声出力装置２０８へ供給する。該供給を受けて音声出力装置２０８で発音が行われる。
一方、情報記録媒体アクセス部としてのメモリカードインターフェース（Ｉ／Ｆ）２１０は、メモリカード２１２に担持させるべき自装置の仕様を表すデータ（副情報たる、例えば処理可能な画像の解像度や画像転送時のフレームレート等々）の書込み、或いは、既に担持されている本システムに所属する他の情報取扱い装置（図１の１０１，１０４，１０５等）の仕様（副情報）の自装置（当該テレビジョン装置２００）への読込み、他の情報取扱い装置により書込まれ担持させられた映像データ（本来の取扱いの対象とする主情報）の自装置への読み込みを行なう。尚、図２のメモリカード２１２は図１におけるメモリカード１０３に相応する。
【００３６】
このようにメモリカードインターフェース２１０によってメモリカード２１２から自装置に読み込まれる他の情報取扱い装置に係る副情報に依拠して、主情報の転送先である装置に向けた最適な映像データの作成が行われる。この詳細については後述するが概要は次の通りである。即ち、情報変換処理部としてのビデオ・オーディオトランスコーダ２０９は上述のようにして読込まれた副情報に基づき、ＲＡＭ２０４に格納されたデータを主情報の転送先である装置で取り扱うデータ形式に変換するエンコード処理を行なう。ビデオ・オーディオトランスコーダ２０９によりこのようにエンコード処理された主情報たる映像データが、メモリカードインターフェース２１０によってメモリカード２１２へ書込まれる。
【００３７】
一方、自装置処理能力データ等保持部２１１は各個の装置固有の識別用ＩＤ番号、ディスプレイ（表示装置）の解像度、解読可能なデータ形式、映像に関する最大処理能力パラメータ、音声に関する最大処理能力パラメータ等、メモリカード２１２に記録する性能データを記憶保持する。
図３は、図１の情報転送システム１００におけるマルチメディアプレーヤ１０４に相応するマルチメディアプレーヤ３００の構成を表すブロック図である。ホストコントローラ３０３は、ストレージデバイスであるメモリカード３１２に記録された映像データを情報記録媒体アクセス部としてのメモリカードインターフェース（Ｉ／Ｆ）３１０を介してビデオデコーダ３０５に的確なタイミングで出力する。ビデオデコーダ３０５は映像データのデコード処理を行い、液晶等の表示装置３０６へ出力表示する
ホストコントローラ３０３は、ストレージデバイスであるメモリカード３１２に記録された音声データをメモリカードインターフェース３１０を介してオーディオデコーダ３０７に的確なタイミングで出力。オーディオデコーダ３０７は音声データのデコード処理を行い、スピーカ等の音声出力装置３０８へ出力する。
【００３８】
メモリカードインターフェース３１０は、メモリカード３１２に担持させるべき自装置の仕様を表すデータ（副情報たる、例えば処理可能な画像の解像度や画像転送時のフレームレート等々）の書込み、或いは、既に担持されている本システムに所属する他の情報取扱い装置（図１の１０１，１０２，１０５等）の仕様（副情報）の自装置（当該マルチメディアプレーヤ３００）への読込み、他の情報取扱い装置により書込まれ担持させられた映像データ（本来の取扱いの対象とする主情報）の自装置への読み込みを行なう。尚、図３のメモリカード３１２は図１におけるメモリカード１０３に相応する。
【００３９】
一方、自装置処理能力データ等保持部３１１は各個の装置固有の識別用ＩＤ番号、ディスプレイ（表示装置）の解像度、解読可能なデータ形式、映像に関する最大処理能力パラメータ、音声に関する最大処理能力パラメータ等、メモリカード２１２に記録する性能データを記憶保持する。尚、図示は省略するが、このマルチメディアプレーヤ３００は、ホストコントローラ３０３の管理下で、ゲーム、音楽、ビデオ、フォト等の各ＣＤの再生して表示装置３０６に表示を行い、また、外部から供給される映像情報の記録を行う公知の録画再生機能部を備える。
【００４０】
図４は、図２のテレビジョン装置から図３のマルチメディアプレーヤに情報を転送する場合の動作を表すフローチャートである。ここでは、予め、メモリカード１０３（２１２，３１２）がテレビジョン装置１０２（２００）に挿入されているものとする。電源が投入されてテレビジョン装置が起動すると、テレビジョン装置１０２は挿入されたメモリカード１０３に担持された情報を読み取る（Ｓ４０１）。
【００４１】
図５は、図２のテレビジョン装置及び図３のマルチメディアプレーヤに適用される情報記録媒体に担持された情報の記録構造を表す概念図である。図示のように、既述の副情報に属する各情報取扱い装置の仕様に関する情報を格納する機器データエリアと、主情報に属する映像情報を格納する映像データエリアが設定されている。このメモリカード１０３（２１２，３１２）の場合、機器データエリアには、テレビジョン装置１０２（２００）の仕様に係るテレビ性能データ、及び、マルチメディアプレーヤ１０４（３００）の仕様に係るマルチメディアプレーヤ性能データの夫々について、「機器ＩＤ」、「ディスプレイ解像度（画素数）」、「データ・コーデック形式（解読可能なデータ形式）」、「映像最大処理能力（フレーム数等）」、「音声最大処理能力（音声の分解能を示すビットレート等）」が担持されるように割り当てられている。
【００４２】
図４のステップＳ４０１で、テレビジョン装置２００は挿入されたメモリカード２１２に担持された情報にアクセスし、図５に示すメモリカード内の機器データエリアに自装置の性能データが記録されているかチェックする（Ｓ４０２）。メモリカードの挿入が初めての場合、またはメモリカードが初期化されていて、自装置の性能データが記録されていない場合は、図５を参照して説明したメモリカードの機器データエリアに、テレビジョン装置１０２（２００）の仕様に係るテレビ性能データとして、「機器ＩＤ」、「ディスプレイ解像度（画素数）」、「データ・コーデック形式」、「映像最大処理能力」、「音声最大処理能力」が書き込まれる（Ｓ４０３）。
【００４３】
ここでは、「機器ＩＤ：ＴＶ００１」、「ディスプレイ解像度：１０２４×７２０ドット」、「対応データ形式：ＭＰＥＧ２、ＭＰＥＧ４、ＪＰＥＧ」、「映像最大処理能力：３０ｆｐｓ」、「音声最大処理能力：１２８ｂｉｔ」とする。メモリカードの機器データエリアに、既に処理能力データが書込まれている場合はステップＳ４０３をスキップして次ステップ（Ｓ４０４）へ進む。
【００４４】
マルチメディアプレーヤ１０４（３００）の性能データもメモリカードをマルチメディアプレーヤで使用した時点で同様の処理手順で図５に示す機器データエリアに書込まれている。ここでは、「機器ＩＤ：ＭＰ００２」、「ディスプレイ解像度：６４０×４８０ドット」、「対応データ形式：ＭＰＥＧ４，ＪＰＥＧ」、「映像最大処理能力：１５ｆｐｓ」、「音声最大処理能力：１２８ｂｉｔ」とする。
【００４５】
次のステップＳ４０４は、図５に示すメモリカード内の映像データエリアに自装置向け（テレビジョン装置向け）のデータの存在を判定するステップである。このステップＳ４０４に到ったときに、映像データエリアのデータに付く機器ＩＤが「ＭＰ００２」である場合はテレビジョン装置用のデータでは無いと判定され（Ｓ４０４：Ｎｏ）、次のステップＳ４０６に進む。一方、ステップＳ４０４に到ったときに、映像データエリアに機器ＩＤ「ＴＶ００１」が付随するデータがある場合は（Ｓ４０４：Ｙｅｓ）、映像データの再生が可能であるため再生し（Ｓ４０５）、処理を終了する。
【００４６】
ステップＳ４０４（Ｓ４０４：Ｎｏ）に次ぐステップＳ４０６では、ステップＳ４０１で読込んだメモリカード内の機器データエリアに記載されている機器（本システムに属する情報取扱い装置であり、機器ＩＤに基づいて認識される）をホストコントローラ２０３の制御下で表示装置２０６などに表示させ、何れの機器（情報取扱い装置）を情報の転送先とするか（従って、転送先に適合したデータへの変換処理の選択）をユーザの選択操作に基づいて認識する。即ち、表示装置２０６及びホストコントローラ２０３の該当する機能部によって、機器ＩＤに基づいて前記情報の転送先の候補となる各情報取扱い装置を表示器に表示する転送先候補表示手段が構成されている。
【００４７】
次いで、自装置（テレビジョン装置）から転送する対象とされるデータ（即ち、転送先に適合させるべく変換処理を施すデータ）を選択する（Ｓ４０７）。このステップＳ４０７では、例えば、テレビジョン装置における放送チャンネルが選択され、或いは、映像記録装置を内蔵するテレビジョン装置の場合は映像記録装置内のデータも選択の対象となる。
【００４８】
ここでは、ステップＳ４０７で選択されたデータが動画放送であると仮定する。続いて、ホストコントローラ２０３の制御下で、ビデオ・オーディオトランスコーダ２０９によりエンコード処理が実行される（Ｓ４０８）。図５に表されたマルチメディアプレーヤの性能データに依拠して、「ディスプレイ解像度：６４０×４８０ドット」、「対応データ形式：ＭＰＥＧ４」、「映像最大処理能力：１５ｆｐｓ」、「音声最大処理能力：１２８ｂｉｔ」でエンコード処理が実行される。
【００４９】
上記において、ホストコントローラ２０３の該当する機能部及びビデオ・オーディオトランスコーダ２０９によって、情報記録媒体アクセス部としてのメモリカードインターフェース２１０によって判読した結果に応じて当該取得した映像情報のエンコード方法を選択するエンコード方法選択手段と、該選択されたエンコード方法により当該映像情報をエンコードするエンコード手段とが構成されている。
【００５０】
ステップＳ４０８でエンコードされた映像データをホストコントローラ２０３の制御下でメモリカードインターフェース２１０を通してメモリカード２１２（１０３，３１２）の映像データエリアへ転送先の機器ＩＤ「ＭＰ００２」と共に書込む（Ｓ４０９）。上述のようにしてエンコード処理が施されたデータが格納されたメモリカード２１２（１０３，３１２）をマルチメディアプレーヤに適用して再生させると、自装置（マルチメディアプレーヤ）に最適にエンコード処理された映像データを再生することが可能である。
【００５１】
上記において、ホストコントローラ２０３の該当する機能部によって、エンコード手段によってエンコードされた映像データを当該指定された情報取扱い装置を表すＩＤと共に当該適用された情報記録媒体に情報記録媒体アクセス部としてのメモリカードインターフェース２１０及びを通して書き込ませる情報書き込み制御手段が構成されている。
図６は、図１の情報転送システムにおけるデジタルスチルカメラ（ＤＳＣ）６００の構成を表すブロック図である。撮像手段としてのＣＣＤ等の撮像素子６０１で取得した被写体の撮像データをホストコントローラ６０３を介して画像処理装置６０５に的確なタイミングで供給する。画像処理装置６０５で処理された画像データは、ＬＣＤ等の表示手段６０７で表示すると共に、ＪＰＥＧ等の形式でメモリカード６１２に記録される。
【００５２】
メモリカードインターフェース(Ｉ／Ｆ）６０６は、メモリカード６１２に担持させるべき自装置の仕様を表すデータ（副情報たる、例えば処理可能な画像の解像度や画像転送時のフレームレート等々）の書込み、或いは、既に担持されている本システムに所属する他の情報取扱い装置（図１の１０１，１０２，１０４等）の仕様（副情報）の自装置（当該デジタルスチルカメラ６００）への読込み、他の情報取扱い装置により書込まれ担持させられた画像データ（本来の取扱いの対象とする主情報）の自装置への読み込みを行なう。尚、図６のメモリカード６１２は図１におけるメモリカード１０３に相応する。
【００５３】
メモリカード６１２からメモリカードインターフェース６０６を通して読込まれた画像データはホストコントローラ６０３の制御下で画像処理装置６０５にて処理されＬＣＤ等の表示装置６０７で表示される。
一方、動作設定記憶手段６０４は、ホストコントローラ６０３の制御下で上述の性能データ（副情報）から撮像データの表示先（転送先）に最適な撮像モード（解像度等）を設定する。
【００５４】
自装置処理能力データ等保持部６０２は各個の装置固有の識別用ＩＤ番号、ディスプレイ（表示装置）の解像度、解読可能なデータ形式、映像に関する最大処理能力パラメータ、音声に関する最大処理能力パラメータ等、メモリカード６１２に記録する性能データを記憶保持する。
図７は、図６のデジタルスチルカメラ６００から図２のテレビジョン装置２００に情報を転送する場合の動作を表すフローチャートである。最近のデジタルスチルカメラは高解像度化が進んでいるが、パーソナルコンピュータの表示装置またはテレビジョン装置で撮像データを表示するにはオーバースペックである。
【００５５】
例えば、パーソナルコンピュータの場合ＸＧＡ（１０２４×７６８）＝約１００万画素で表示可能であり、テレビジョンの場合でもフルＨＤ（１９２０×１０８０）＝約２５０万画素で表示可能である。テレビジョン装置をデータの最終表示先とした場合、表示画素数に適合した撮像をすることによって、ストレージメディアの有効活用が可能になる。
図７のフローチャートにおける動作では、予め、メモリカード１０３（２１２，６１２）がデジタルスチルカメラ１０５（６００）に挿入されているものとする。電源が投入されてデジタルスチルカメラが起動すると、デジタルスチルカメラ１０５は挿入されたメモリカード１０３に担持された情報を読み取る（Ｓ７０１）。
【００５６】
図８は、図２のテレビジョン装置及び図６のデジタルスチルカメラに適用される情報記録媒体に担持された情報の記録構造を表す概念図である。図５のものと同様に、既述の副情報に属する各情報取扱い装置の仕様に関する情報を格納する機器データエリアと、主情報に属する映像情報を格納する映像データエリアが設定されている。このメモリカード１０３（２１２，６１２）の場合、機器データエリアには、テレビジョン装置１０２（２００）の仕様に係るテレビ性能データ、及び、デジタルスチルカメラ１０５（６００）の仕様に係るＤＳＣ性能データの夫々について、「機器ＩＤ」、「ディスプレイ解像度（画素数）」、「データ・コーデック形式（解読可能なデータ形式）」、「映像最大処理能力（フレーム数等）」、「音声最大処理能力（音声の分解能を示すビットレート等）」が担持されるように割り当てられている。
【００５７】
図７のステップＳ７０１で、デジタルスチルカメラ１０５（６００）は挿入されたメモリカード６１２に担持された情報にアクセスし、図８に示すメモリカード内の機器データエリアに自装置の性能（仕様）データが記録されているかチェックする（Ｓ７０２）。メモリカードの挿入が初めての場合、またはメモリカードが初期化されていて、自装置の性能データが記録されていない場合は、図８を参照して説明したメモリカードの機器データエリアに、デジタルスチルカメラ１０５（６００）の仕様に係るＤＳＣ性能データとして、「機器ＩＤ」、「ディスプレイ解像度（画素数）」、「データ・コーデック形式」、「映像最大処理能力」、「音声最大処理能力」が書き込まれる（Ｓ７０３）。
【００５８】
ここでは、「機器ＩＤ：ＤＣ００３」、表示装置６０７である「ディスプレイ解像度：６４０×４８０ドット」、「対応データ形式：ＪＰＥＧ」、動画再生機能と音声再生機能は付属しないものとして「映像最大処理能力：Ｎｕｌｌ」、「音声最大処理能力：Ｎｕｌｌ」とする。既に処理能力データが書込まれている場合はステップＳ７０３をスキップして次ステップ（Ｓ７０４）へ進む。
【００５９】
テレビジョン装置の性能データも図７に示す機器データエリアに書込まれている。ここでは、「機器ＩＤ：ＴＶ００１」、「ディスプレイ解像度：１０２４×７２０ドット」、「対応データ形式：ＭＰＥＧ２、ＭＰＥＧ４、ＪＰＥＧ」、「映像最大処理能力：３０ｆｐｓ」、「音声最大処理能力：１２８ｂｉｔ」とする。
次のステップＳ７０４では図８に示すメモリカード内における映像データエリアに自装置向け（デジタルスチルカメラ向け）のデータの存在を判定するステップである。このステップＳ７０４に到ったときに、映像データエリアのデータに付く機器ＩＤが「ＴＶ００１」である場合はデジタルスチルカメラのデータでは無いと判別され（Ｓ７０４：Ｎｏ）、映像データエリアに機器ＩＤ「ＤＣ００３」の付随するデータが有る場合は（Ｓ７０４：Ｙｅｓ）画像データの再生が可能であるため再生し（Ｓ７０５）、処理を終了する。
【００６０】
ステップＳ７０４（Ｓ７０４：Ｎｏ）に次ぐステップＳ７０６では、ステップＳ７０１で読込んだメモリカード内の機器データエリアに記載されている機器（本システムに属する情報取扱い装置であり、機器ＩＤに基づいて認識される）をホストコントローラ６０３の制御下で表示装置６０７などに表示させる。即ち、表示装置６０７及びホストコントローラ６０３の該当する機能部によって、機器ＩＤに基づいて前記情報の転送先の候補となる各情報取扱い装置を表示器に表示する転送先候補表示手段が構成されている。
【００６１】
この表示に依拠した操作、即ち、何れの機器（情報取扱い装置）を情報の転送先とするか（従って、転送先に適合したデータへの変換処理の選択）に関するユーザの選択操作に基づいて認識する。この認識に基づいて、撮像画素数が動作設定記憶手段６０４に設定される（Ｓ７０７）。
例えば、撮像データの表示対象機器がテレビジョン装置とした場合、図８に示す機器データエリアに書込まれた「ディスプレイ解像度：１０２４×７２０ドット」、即ち、１００万画素での撮像モードに設定する。動作設定記憶手段６０４にこのようにして設定（選択）された画素数での撮像モードで撮像を実行する（Ｓ７０８）。この撮像により取得した撮像データをメモリカード６１２の映像データエリアへ書込む（Ｓ７０９）。この書き込みは、表示機器たるテレビジョン装置の機器ＩＤ「ＴＶ００１」と共にメモリカード６１２への書込みとして実行される。
【００６２】
上述のようにして撮像モードを選択して撮影して取得した撮像データが格納されたメモリカードをテレビジョン装置に適用して再生させると、自装置（テレビジョン装置）に最適解像度の撮像データを再生することが可能である。前述したが、テレビジョン装置は対応データ形式としてＪＰＥＧを持つ。図４のテレビジョン装置の処理によれば放送データをデジタルスチルカメラの表示装置６０７に最適な６４０×４８０ドットでキャプチャしてＪＰＥＧ化して、機器ＩＤ「ＤＣ００３」と共にメモリカード６１２へ書込めば、このようなメモリカード６１２からメモリカードインターフェース６０６を通して読込まれた画像データを画像処理装置６０５にて処理しＬＣＤ等の表示装置６０７で表示することによりデジタルスチルカメラでテレビ画像の表示が可能である。
【００６３】
以上を総じて、本発明の実施の形態としての情報転送方法では、複数の情報取扱い装置間で共通に適用可能な当該情報記録媒体を一の情報取扱い装置から他の情報取扱い装置へと移転することによって情報記録媒体に担持させた情報を転送する。
一の情報取扱い装置は、本来の取扱いの対象とする例えば画像情報のような主情報と例えば処理可能な画像の解像度やフレームレート等のような自己の仕様に係る情報を含む副情報とをこの情報記録媒体に担持させ且つ既に担持されている他の情報取扱い装置の仕様に係る情報を含む副情報をこの情報記録媒体から判読する。
【００６４】
また、他の情報取扱い装置は、この情報記録媒体に担持された上記画像情報のような主情報を判読可能であり、且つ、自己の仕様に係る情報を含む副情報を当該情報記録媒体に担持させ得る。
このため、一の情報取扱い装置は、転送の相手方となる他の情報取扱い装置の仕様に適合した態様で（画像の解像度やフレームレート等で）情報を転送することが可能になる。
【図面の簡単な説明】
【００６５】
【図１】本発明の実施の形態としての情報転送システム及び方法を表す概念図である。
【図２】図１の情報転送システムにおけるテレビジョン装置の構成を表すブロック図である。
【図３】図１の情報転送システムにおけるマルチメディアプレーヤの構成を表すブロック図である。
【図４】図２の装置から図３の装置に情報を転送する場合の動作を表すフローチャートである。
【図５】図２の装置及び図３の装置に適用される情報記録媒体に担持された情報の記録構造を表す概念図である。
【図６】図１の情報転送システムにおけるデジタルスチルカメラの構成を表すブロック図である。
【図７】図６の装置から図２の装置に情報を転送する場合の動作を表すフローチャートである。
【図８】図２の装置及び図６の装置に適用される情報記録媒体に担持された情報の記録構造を表す概念図である。
【符号の説明】
【００６６】
１００…情報転送システム  １０１…録画装置  １０２…テレビジョン装置  １０３…メモリカード  １０４…マルチメディアプレーヤ  １０５…デジタルスチルカメラ（ＤＳＣ）  ２００…テレビジョン装置  ２０１…チューナ  ２０２…復調器  ２０３…ホストコントローラ  ２０４…ＲＡＭ  ２０５…ビデオデコーダ  ２０６…表示装置  ２０７…オーディオデコーダ  ２０８…音声出力装置  ２０９…ビデオ・オーディオトランスコーダ  ２１０…メモリカードインターフェース  ２１１…自装置処理能力データ等保持部  ２１２…メモリカード  ３００…マルチメディアプレーヤ  ３０３…ホストコントローラ  ３０５…ビデオデコーダ  ３０６…表示装置  ３０７…オーディオデコーダ  ３０８…音声出力装置  ３１０…メモリカードインターフェース  ３１１…自装置処理能力データ等保持部  ３１２…メモリカード  ６００…デジタルスチルカメラ  ６０１…撮像素子  ６０２…自装置処理能力データ等保持部  ６０３…ホストコントローラ  ６０４…動作設定記憶手段  ６０５…画像処理装置  ６０６…メモリカードインターフェース  ６０７…表示装置  ６１２…メモリカード
【図１】
2006270705.tif 000003
【図２】
2006270705.tif 000004
【図３】
2006270705.tif 000005
【図４】
2006270705.tif 000006
【図５】
2006270705.tif 000007
【図６】
2006270705.tif 000008
【図７】
2006270705.tif 000009
【図８】
2006270705.tif 000010